(57)【要約】      （修正有）【課題】収容物を安定した状態で収容、かつ、運搬することができると共に、迅速に折り畳んでコンパクトにすることができる提げ手付きバッグを提供する。【解決手段】バッグ１は、胴部２と、底部３とからなる収納部４と、この胴部及び底部にその下部を取り付けている一対のＵ字状の提げ手６と、この収納部４の上端縁に設けている当該収納部の開口を閉蓋し得る筒状部材７とからなっている。この底部３に、当該底部３の奥行の真ん中が中折れに畳み易い張り力を有する折り目５を設け、この折り目の間に、上記の提げ手６の下部の下端を挿入して取り付けている。【選択図】図１
0003157890.tif 000002
【実用新案登録請求の範囲】
【請求項１】
天面が開口し、底部と胴部とからなる柔軟な収納部と、この収納部の上部にその下縁を取り付けている柔軟な筒状部材と、この筒状部材の上縁を閉じ得る閉止手段と、前記収納部の前後の上端に取り付けた前後一対の提げ手とからなる提げ手付きバッグにおいて、前記底部の前後の真ん中に中折れに畳み易い折り目を設け、その折り目の近辺に折り畳み易くする張り力を与えており、前記提げ手の下方延長部を胴部及び底部に固定している提げ手付きバッグ。
【請求項２】
前記折り目が、縫合した前後の生地の間に形成されるＶ字状の溝によってなり、前記提げ手の下方延長部の端部が前後の生地の間に一体に縫合されている請求項１記載の提げ手付きバッグ。
【請求項３】
前記筒状部材が二重に設けられており、それぞれに前記閉止手段を設けている請求項１記載の提げ手付きバッグ。
【請求項４】
前記収納部の上部に、上記の開口を閉蓋し得るシート状の保温部材を設けてなる請求項１記載の提げ手付きバッグ。
【考案の詳細な説明】
【技術分野】
【０００１】
本考案は、主に買い物を持ち帰るときに使用する買い物用の提げ手付きバッグに関する。
【背景技術】
【０００２】
近年、スーパーマーケットなどで購入した物は、レジ袋に代えて客が携帯するいわゆるエコバッグに入れるのが一般的になってきている。このバッグは基本的には、店内で使用される買い物用のカゴとほぼ同じあるいはそれ以上の大きさになっているので、嵩高いものである。そのため、バッグの収納部を柔軟性あるいは可撓性の素材で形成し、不使用の時には、小さく折り畳めるようにしている。しかし、このような収納部は強度に欠け、収納物を安定した状態で収容、また、運搬するのが困難なため、強度を得るべく補強するのが一般的になっている。
【０００３】
特許文献１には、周側部の底部寄りに強靭帯を設け、また、周側部の上端側にも強靭帯を設けているバッグが開示されている。このバッグは、さらに、周側部の上端側の強靭帯に弾塑性材を挿入または装着して、バッグ本体に形状保持性を持たせることで、収容物の保護性を高めることもできるとされている。そのため、バッグ本体は収容物を安定した状態で運搬するのが可能になっている。しかし、このバッグ本体は形状保持性を持たせるために物理的強度を高くすると、迅速にコンパクトに折り畳むのが困難という問題がある。
【先行技術文献】
【特許文献】
【０００４】
【特許文献１】実用新案登録第３０６５８４８号公報
【考案の概要】
【考案が解決しようとする課題】
【０００５】
本考案は、物を安定した状態で収容し、かつ、運搬することができるように、収納部分に適度な形状保持性を持たせると共に、迅速に折り畳んでコンパクトにすることができる提げ手付きのバッグを提供することを技術課題とする。
【課題を解決するための手段】
【０００６】
本考案の提げ手付きバッグ（請求項１）は、天面が開口し、底部と胴部とからなる柔軟な収納部と、この収納部の上部にその下縁を取り付けている柔軟な筒状部材と、この筒状部材の上縁を閉じ得る閉止手段と、前記収納部の前後の上端に取り付けた前後一対の提げ手とからなる提げ手付きバッグにおいて、前記底部の前後の真ん中に中折れに畳み易い折り目を設け、その折り目の近辺に折り畳み易くする張り力を与えており、前記提げ手の下方延長部を胴部及び底部に固定していることを特徴としている。
【０００７】
前記折り目は、縫合した前後の生地の間に形成されるＶ字状の溝によってなり、前記提げ手の下方延長部の端部が前後の生地の間に一体に縫合されているのが好ましい（請求項２）。
【０００８】
前記筒状部材が二重に設けられており、それぞれに前記閉止手段を設けているのが好ましい（請求項３）。
【０００９】
前記収納部は、その上部に上記の開口を閉蓋し得るシート状の保温部材を設けているのが好ましい（請求項４）。
【考案の効果】
【００１０】
本考案の提げ手付きバッグ（請求項１）は、天面が開口し、底部と胴部とからなる柔軟な収納部と、この収納部の上部にその下縁を取り付けている柔軟な筒状部材と、この筒状部材の上縁を閉じ得る閉止手段と、前記収納部の前後の上端に取り付けた前後一対の提げ手とからなるが、前記底部の前後の真ん中に中折れに畳み易い折り目を設け、その折り目の近辺に折り畳み易くする張り力を与えており、前記提げ手の下方延長部を胴部及び底部に固定している。そのため、この折り目には張り力がもたらされる。したがって、底部は簡単に中折れに畳んで扁平にすることができるので、バッグは迅速にコンパクトにすることができる。
また、胴部は、提げ手の下方延長部が固定されていることによってその部分に張り力がもたらされている。また、底部は胴部と同じように下方延長部によって張り力がもたらされていると共に、底部に設けられている折り目にも張り力が与えられている。したがって、収納部は、胴部と底部が部分的に張り力を与えられているので、形状が保持され易くなっている。また、このバッグは収納物を安定した状態で収納して運搬することができるので、収納物の保護を高めることができる。
【００１１】
前記折り目が、縫合した前後の生地の間に形成されるＶ字状の溝によってなり、前記提げ手の下方延長部の端部が前後の生地の間に一体に縫合されている場合（請求項２）、この折り目は折り畳み・展開を繰り返しても消えることがない。したがって、このバッグは、長年の使用においても収納部が簡単に折り畳めるので、迅速にコンパクトにすることができる。
【００１２】
前記筒状部材が二重に設けられており、それぞれに前記閉止手段を設けている場合（請求項３）、内側の筒状部材を閉止手段で閉じることによって、収納部の上部には蓋が設けられる。そのため、収納部の上方には、この蓋と、この周囲を囲繞している外側の筒状部材とによって、新たな収納部を形成することが可能になっている。したがって、このバッグは、収容物を上下二段に分別して収容、運搬することができる。
【００１３】
前記収納部の上部に、上記の開口を閉蓋し得るシート状の保温部材を設けている場合（請求項４）、収納部に収容された物を保温することができる。
【図面の簡単な説明】
【００１４】
【図１】図１は、本考案の提げ手付きバッグの実施形態を示す正面斜視図である。
【図２】図２は、バッグの収納部を形成する裁断後の生地の表面図である。
【図３】図３ａは、バッグの底部の斜視図、図３ｂは、収納部を折り畳んだ状態の斜視図である。
【図４】図４は、その他の実施形態を示す正面斜視図である。
【図５】図５は、その他の実施形態を示す正面斜視図である。
【考案を実施するための形態】
【００１５】
図１のバッグ１は、天面が開口し、胴部２と内側に折り目５をその奥ゆき方向の真ん中に有する底部３とからなる柔軟な収納部４と、胴部２の前後に取り付けている一対のＵ字状の提げ手６と、この収納部４の上端縁に設けている前記開口を閉蓋可能にする柔軟な筒状部材７とからなっている。以下に、詳細に説明する。
【００１６】
前記の収納部４は、小さく折り畳めるように適度な柔軟性と張り性を有する素材によって形成されている。たとえばナイロン製の織物地などが好ましい。図２に示すように、二枚の生地８、８を縫合して形成されている。この二枚の生地８、８は、もともと矩形の生地の上部あるいは下部の両側のコーナーを正方形に切り欠いて凸字状に形成したものである。その生地８、８の突出部分８ａ、８ａは図１に示す四角形の底部３を形成する部分であり、突出部分以外の部分８ｂ、８ｂは図１に示す断面が四角形の胴部２を形成する部分である。
【００１７】
詳しくは、図２に示す二枚の生地８、８の左の側辺８ｃ、８ｃ同士、右の側辺８ｄ、８ｄ同士、そして突出部分８ａ、８ａの下辺８ｅ、８ｅ同士をそれぞれ縫合し、また、一方の生地８の正方形に切り欠いた左の切断辺８ｆ、８ｆ同士、右側の切断辺８ｇ、８ｇ同士をそれぞれ縫合し、また、他方の生地８の左側の切断辺８ｈ、８ｈ同士、右側の切断辺８ｉ、８ｉ同士をそれぞれ縫合する。そして、上記の側辺８ｃ、８ｃ同士の縫合部、側辺８ｄ、８ｄ同士の縫合部、そして下辺８ｅ、８ｅ同士の縫合部のそれぞれの端縁を厚みのある生地でパイピングする。また、切断辺８ｆ、８ｆ同士の縫合部と切断辺８ｈ、８ｈ同士の縫合部のそれぞれの端縁を厚味のある一枚生地で連続してパイピングする。また、切断辺８ｇ、８ｇ同士の縫合部と切断辺８ｉ、８ｉ同士の縫合部のそれぞれの端縁も厚味のある一枚生地で連続してパイピングする。
【００１８】
パイピングが施された後、表裏反転することによって、図１に示す収納部４が形成される。また、収納部４は底部が四角形に形成され、また、胴部２は断面が略四角形に形成される。なお、前記下辺８ｅ、８ｅ同士の縫合は、前記一対のU字状の提げ手６の両側を下方に延長した部分（図１参照。以下、下方延長部と称す。）６ａの下端を２枚の生地の間に挿入して縫合している。
【００１９】
図１に示すように、底部３においてはＨ字状に縫合部９ａが設けられ、また、胴部２の側部においては逆Ｔ字状の縫合部９ｂが設けられている。上記の縫合部９ａのＨ字の横線部分と縫合部９ｂの逆Ｔ字の縦線部分とが連続し、合わせて凹字状になっている。
【００２０】
また、収納部４の内面において、上記の各縫合部９ａ、９ｂの端縁はそれ相当の硬さと厚みを有する突出した筋（以下、突出筋と称す。）１０に形成されている。この突出筋１０はそれ相当の張り力を有している。また、収納部４の外面においては、図２ａに示すように、縫合された上記の生地８、８の間に折り目５が設けられているが、この折り目５はＶ字状の小さな溝１１に形成されている。溝１１は上記の各縫合部と近接しているので、張り力がもたらされている。そのため、この溝１１は内側に押し易くなっている。したがって、底部３は簡単に折り畳むことができる。
【００２１】
図１で示すように、前記、U字状の提げ手６は一対になっており、幅が２〜５ｃｍ、厚さが1ミリメートル前後であり、折り曲げが可能な柔軟性と立状保持が可能な張り性を有する帯紐などによって形成されている。また、この提げ手６は、前記のとおり両側に下方延長部６ａを有し、また、胴部２の前部と後部にそれぞれ取り付けられている。下方延長部６ａは提げ手６の取り付け幅と同じ幅で胴部２及び底部３に縫合し、その下端は前記のとおり２枚の生地８、８の下辺８ｅ、８ｅの間に挿入して下辺８ｅ、８ｅの縫合と同時に縫合されている。
【００２２】
つまり、一対の提げ手６の下方延長部６ａは、図１に示すように、胴部２及び底部３にL字が対向するように縫合して一体になっている。したがって、胴部２の前部及び後部は下方延長部６ａの縫合によって、張り力がもたらされている。また、前記突出筋１０に下方延長部６ａが一緒に縫合されているので、底部３の張り力がさらに強化されている。
【００２３】
筒状部材７は図１に示すように、柔軟性に富んだ生地で形成されている。とくにネット状の生地は扁平状に折り畳み易く、中の収納物が見えるので、好ましい。筒状部材７の上端は収納部４の実質的な口部として作用し、その口部には閉止部材１２が設けられている。閉止部材１２は、筒状部材７の上端縁を折り返して形成した紐とおし１３に２本の環状の口紐１４を挿通することにより形成している。紐とおし１３には相対する位置に口紐１４を引き出すための穴１５が設けられている。筒状部材７の口部は２本の口紐１４をそれぞれ穴１５から引き出して反対方向に引っ張ることによって、口部が巾着状に閉じるようになっている。収納部４に収容された物は、図１に示す筒状部材７の口を口紐１４で閉じることによって、収納部４から飛び出るのが防止される。
【００２４】
前記のとおり、このバッグの収納部４は胴部２及び底部３にＨ字状、逆Ｔ字状など筋状に細かく張り力がもたらされている。特に、底部は当該底部に形成されている突出筋１０が提げ手６の下方延長部６ａの下端と一体になり、また、その張り力は一層、強化されているので、形状保持性が高く、かつ、頑丈になっている。したがって、このバッグは収納部の形状保持性がより確実になっている。また、収納物を安定した状態で収容することができ、また、運搬することができる。
【００２５】
また、図３ａに示すように、底部３は溝１１を内側に押すと（矢印Ａ方向）、簡単に折り畳むことができる。また、このとき、胴部２の側部の下部も内向きに折り畳むことが可能になっている。したがって、バッグ１は図３ｂに示すように、底部３及び胴部２の側部の下部が内向きに折り畳まれて、収納部４及び筒状部材７（図示省略）を扁平状態にすることができる。
【００２６】
また、収納部４は前記のとおり、下方延長部６ａが固定されている部分に張り力があるので、図３ｂに示すように、下方延長部６ａに沿って、矢印Ｂ方向の内向きに折り畳むことができる。また、この折り畳み時に、筒状部材７は一緒に折り畳むことが可能になっている。したがって、このバッグは収納部及び筒状部材を容易に、かつ確実に折り畳むことができるので、迅速にコンパクトにすることができる。
【００２７】
以上のとおり、この考案のバッグは、収納部に設けた張り力によって収納部の形状保持力を高める作用と、収納部を嵩低に折り畳んで簡単にコンパクトにする作用の両方を有しているので、上記の二つの作用によって、従来の柔軟なバッグの問題点を解消している。
【００２８】
その他の実施形態としては、図４に示すように、前記実施形態の筒状部材７を二重に設けたものである。つまり筒状部材７は内側の筒状部材７ａと外側の筒状部材７ｂとによって構成されている。他は前記実施形態と同様の構成になっている。それぞれの筒状部材７ａ、７ｂは前記実施形態と同じ閉止部材１２を設けている。上記内外の筒状部材７ａ、７ｂはほぼ同じ大きさになっており、それぞれの下端縁を収納部４の上端縁に取り付けている。
【００２９】
内側の筒状部材７ａは、図４に示すように、閉止部材１２の口紐１５を閉めることによって、収納部４の開口を閉蓋する蓋の作用と、収納部４の上方に形成される新たな収納部の底部の作用を兼ねている。つまり、内側の筒状部材７ａによって形成された蓋の周りには外側の筒状部材７ｂが取り付けられているので、この蓋が底の作用をして、新たな収納部を形成することが可能になっている。したがって、この実施形態のバッグ１は、収納物を上下二段に分別収容することができる。
なお、内側の筒状部材７ａを収納部４の高さの中間に取り付け、外側の筒状部材７ｂを収納部４の上端に取り付けてもよい。この場合、内側の筒状部材７ａの口紐１４を閉めることによって、収納部４を上下に分割することができる。
【００３０】
さらに、その他の実施形態としては、図５に示すように前記実施形態の筒状部材７の内側にシート状の保温部材１６を回動自在に取り付けたものである。保温部材１６は収納部４の開口を全面的に閉蓋可能とし、また、クッション性と柔軟性を有しているのが好ましい。また、保温部材１６は収納部４の内側に着脱できるように両者間に係合部材１７を設けるのが好ましい。なお、保温部材１６以外は、前記図１に示す実施形態と同様の構造になっている。
【００３１】
この保温部材１６は収納部４の開口を閉蓋することによって、収納部４の収容物を太陽などの直射熱から保護することができる。また、保温部材１６を使用しないときは、収納部４の内側に沿わして垂らしてもよい。この場合、収納物を外からの衝撃から保護することができる。
【００３２】
また、保温部材１６は蓋の作用以外に、収納部４の上方に新たな収納部を形成するための底部としての作用も兼ねる。つまり、閉蓋状態の保温部材１６の周りには筒状部材７が取り付けられているので、新たな収納部を形成することが可能になっている。したがって、この考案のバッグは、保温部材１６を介して収納部４の上方に新たな収納部を形成することができるので、保温状態を異にするものを分別収容することができる。なお、保温部材は収納部４の高さ方向の中間に取り付けて、収納部を上下二段に分割して使用してもよい。
【００３３】
また、その他の実施形態としては、収納部の内部に仕切り部材を着脱自在に設けてもよい。また、仕切り部材の下端を収納部の底面に起伏自在に取り付けてもよい。仕切り部材を収納部の内側に支持させる手段としては、仕切り部材と本体の内側面に面テープの雌雄をそれぞれに取り付けても良いし、ホックの雌雄をそれぞれに取り付けてもよい。
【符号の説明】
【００３４】
１  バッグ
２  胴部
３  底部
４  収納部
６  提げ手
６a  下方延長部
７  筒状部材
７ａ  内側の筒状部材
７ｂ  外側の筒状部材
８  生地
８ａ  突出部分
８ｂ  突出していない部分
８ｃ  側辺
８ｄ  側辺
８ｅ  下辺
８ｆ  切断辺
８ｇ  切断辺
８ｈ  切断辺
８ｉ  切断辺
９ａ  縫合部
９ｂ  縫合部
１０  突出筋
１１  Ｖ字状の溝
１２  閉止部材
１３  紐とおし
１４  口紐
１５  穴
１６  保温部材
１７  係合部材
【図１】
0003157890.tif 000003
【図２】
0003157890.tif 000004
【図３】
0003157890.tif 000005
【図４】
0003157890.tif 000006
【図５】
0003157890.tif 000007